(57)【要約】  【課題】  液晶テレビの製造工程の際には、バックライトの光を反射させるために光源の背面に反射シートを挟み込む挿入作業を必要としているが、かかる反射シートの挿入作業については省略することができなかった。このため、液晶テレビの製造時には、必ず反射シートを挿入しなければならないために、作業効率を向上させることができないという課題がある。  【解決手段】  発光手段を含む表示部と、フロントパネルと、裏蓋部と、からなり、前記表示部をフロントパネルと、裏蓋部とによって挟み込み収納した薄型ディスプレイパネル構体であって、前記裏蓋部の内面は、前記発光手段から発せられる光を反射する反射面を備えた薄型ディスプレイパネル構体を提供する。【選択図】            図２
2006337596.tif 000002
【特許請求の範囲】
【請求項１】
発光手段を含む表示部と、フロントパネルと、裏蓋部と、からなり、前記表示部をフロントパネルと、裏蓋部とによって挟み込み収納した薄型ディスプレイパネル構体であって、
前記裏蓋部の内面は、前記発光手段から発せられる光を反射する反射面を備えた薄型ディスプレイパネル構体。
【請求項２】
前記裏蓋部の反射面は全光線反射率８０％以上である請求項１に記載の薄型ディスプレイパネル構体。
【請求項３】
前記裏蓋部の反射面は、裏蓋部本体表面に塗布される光反射材によって構成されている請求項１又は２に記載の薄型ディスプレイパネル構体。
【請求項４】
前記表示部は、液晶表示モジュールであり、前記発光手段は、液晶用バックライトである請求項１から３のいずれか一に記載の薄型ディスプレイパネル構体。
【請求項５】
前記裏蓋部は、少なくとも一部が金属材料から構成されている請求項１から４のいずれか一に記載の薄型ディスプレイパネル構体。
【請求項６】
発光手段から発せられる光を反射する機能を主目的とした反射シートを有さない請求項１から５のいずれか一に記載の薄型ディスプレイパネル構体。
【請求項７】
薄型ディスプレイパネル構体のフロントパネルとともに発光手段を含む表示部を挟み込み収納するための裏蓋であって、前記発光手段から発せられる光を反射する反射面を備えた薄型ディスプレイパネル構体用裏蓋。
【請求項８】
発光手段を含む表示部と、フロントパネルと、裏蓋部と、からなり、前記表示部をフロントパネルと、裏蓋部とによって挟み込み収納した薄型ディスプレイパネル構体の製造方法であって、
フロントパネルを裏面側を上にして配置するフロントパネル配置工程と、
フロントパネル配置工程にて配置されたフロントパネルの裏面側に表示部を配置する表示部配置工程と、
表示部が配置されたフロントパネルと、反射面を備えた裏蓋部とを、表示部を挟み込み収納するように固定する固定工程と、
を有する薄型ディスプレイパネル構体の製造方法。
【請求項９】
発光手段を含む表示部と、フロントパネルと、裏蓋部と、からなり、前記表示部をフロントパネルと、裏蓋部とによって挟み込み収納した薄型ディスプレイパネル構体の製造方法であって、
金属性平板を加工して裏蓋部本体を準備する裏蓋部本体準備工程と、
裏蓋部本体準備工程にて準備された裏蓋部の裏面側に反射材料を塗布する反射材料塗布工程と、
を含む薄型ディスプレイパネル構体の製造方法。
【発明の詳細な説明】
【技術分野】
【０００１】
本発明は、薄型ディスプレイパネル構体及び薄型ディスプレイパネル構体の製造方法に関する。さらに詳しくは、薄型ディスプレイパネル構体を構成する裏蓋部に高効率反射材を塗布した薄型ディスプレイパネル構体及び薄型ディスプレイパネル構体の製造方法に関する。
【背景技術】
【０００２】
近年、液晶テレビの製造が活発的に行われている。液晶テレビにおいては、液晶自身は非発光の物質であるため、外部光源を有することが必須となっている。そこで、光源からの光を効率よく使用するために光源の背面に反射シートが設けられている。このため、液晶テレビの製造時には、反射シートを光源の背面側に挟み込む工程が必須となっていた。
【０００３】
一方、組立工程の向上を図る目的の発明として、例えば特許文献１には、フロントキャビネットとリアキャビネットとの間に反射板を矜持し、それぞれに設けられた円筒状の係合手段を介して位置決めをして、主基板及び液晶パネルとともに一体にネジ結合することにより、部品点数の削減と組立作業性の向上を図ることのできる液晶テレビの組立構造についての発明が開示されている。また、特許文献２には、凹部の側壁を有している偏光板を、当該偏光版の側壁に結合するように突出したキャビネットに収納することで、組立性を向上させる発明が開示されている。
【特許文献１】特開平５−１０３２８４号公報
【特許文献２】特開２００３−３４６５３６号公報
【発明の開示】
【発明が解決しようとする課題】
【０００４】
しかしながら、従来技術のように、単にフロントキャビネットとリアキャビネットとを円筒状の係合手段を利用してネジで結合して一体化したり、あるいは、偏光板を加工したりするだけでは、十分なコスト削減の効果が得られないという課題がある。即ち、液晶テレビの製造工程の際には、バックライトの光を反射させるために光源の背面に反射シートを挟み込む挿入作業を必要としているが、かかる反射シートの挿入作業については省略することができなかった。このため、液晶テレビの製造時には、必ず反射シートを挿入しなければならないために、作業効率を向上させることができないという課題がある。また、反射シートは光源からの光を最適に反射するように構成されているため、しわや傷などが付いてしまうと反射効率が低下してしまう。このため、反射効率の低下を避けるために反射シートの挿入作業に神経を使うあまり、作業効率を向上させることができないという課題がある。また、近年大画面の大型液晶テレビが開発されているが、大型になるほど反射シートも大きなサイズが必要となっており、従来以上に反射シートのしわや傷の発生を抑制する組立方法が必要とされてきた。
【０００５】
そこで、本発明は、かかる課題に鑑みてなされたものであり、反射シート部材を削減することで、作業工数及び部材コストの削減を実現した薄型ディスプレイパネル構体及び薄型ディスプレイパネル構体の組立方法を提供することを目的とする。
【課題を解決するための手段】
【０００６】
そこで、本発明においては、かかる課題を解決するために、発光手段を含む表示部と、フロントパネルと、裏蓋部と、からなり、前記表示部をフロントパネルと、裏蓋部とによって挟み込み収納した薄型ディスプレイパネル構体であって、前記裏蓋部の内面は、前記発光手段から発せられる光を反射する反射面を備えた薄型ディスプレイパネル構体を提供する。前記裏蓋部の反射面は全光線反射率８０％以上であってもよいし、前記裏蓋部の反射面は、裏蓋部本体表面に塗布される光反射材によって構成されていてもよい。また、前記表示部は、液晶表示モジュールであり、前記発光手段は、液晶用バックライトであってもよい。また、前記裏蓋部は、少なくとも一部が金属材料から構成されていてもよい。また、発光手段から発せられる光を反射する機能を主目的とした反射シートを有さなくてもよい。また、他の発明として、薄型ディスプレイパネル構体のフロントパネルとともに発光手段を含む表示部を挟み込み収納するための裏蓋であって、前記発光手段から発せられる光を反射する反射面を備えた薄型ディスプレイパネル構体用裏蓋を提供する。
【０００７】
また、他の発明として、発光手段を含む表示部と、フロントパネルと、裏蓋部と、からなり、前記表示部をフロントパネルと、裏蓋部とによって挟み込み収納した薄型ディスプレイパネル構体の製造方法であって、フロントパネルを裏面側を上にして配置するフロントパネル配置工程と、フロントパネル配置工程にて配置されたフロントパネルの裏面側に表示部を配置する表示部配置工程と、表示部が配置されたフロントパネルと、反射面を備えた裏蓋部とを、表示部を挟み込み収納するように固定する固定工程と、を有する薄型ディスプレイパネル構体の製造方法を提供する。また、他の発明として、前記薄型ディスプレイパネル構体の製造方法であって、金属性平板を加工して裏蓋部本体を準備する裏蓋部本体準備工程と、裏蓋部本体準備工程にて準備された裏蓋部の裏面側に反射材料を塗布する反射材料塗布工程と、を含む薄型ディスプレイパネル構体の製造方法を提供する。
【発明の効果】
【０００８】
本発明は、薄型ディスプレイパネルの裏蓋部の内面に発光手段から発せられる光を反射する反射面を備えたことにより、反射シートを使わずとも光の有効利用を実現できるため、反射シート分のコストを削減することができる。また、バックライトの組立工程においては、反射シートを入れる工数を削減することができるため、作業効率の向上が期待できる。
【発明を実施するための最良の形態】
【０００９】
以下に、各発明の実施の形態を説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、２、３、４、６などについて説明する。実施形態２は、主に請求項５などについて説明する。実施形態３は、主に請求項７などについて説明する。実施形態４は、主に請求項８などについて説明する。実施形態５は、主に請求項９などについて説明する。
【００１０】
<<実施形態１>>
<実施形態１の概要>
本実施形態は、裏蓋部の内面に光を反射する反射面を備えた薄型ディスプレイパネル構体に関するものである。図１に薄型ディスプレイパネル構体を構成要件ごとに分離した図の一例を示す。図１に示すように、薄型ディスプレイパネル構体の核となる表示部（０１０１）には発光手段（０１０４）としてランプが取り付けられている。そして、表示部（０１０１）をフロントパネル（０１０２）と裏蓋部（０１０３）とで挟み込むことで、薄型ディスプレイパネル構体が組み立てられる。本実施形態においては、裏蓋部（０１０３）の内面に、光を反射する反射面を備えていることが特徴である。
【００１１】
<実施形態１の構成>
図１及び図２を用いて本実施形態の構成を示す。図１及び図２は構成要件ごとに分離させた薄型ディスプレイパネル構体についての等角投影図である。まず、図１を用いて説明する。本実施形態における薄型ディスプレイパネル構体は、「表示部」（０１０１）と、「フロントパネル」（０１０２）と、裏蓋部（０１０３）と、からなる。「表示部」（０１０３）は「発光手段」（０１０４）を含む。
【００１２】
「薄型ディスプレイパネル構体」の具体例としては、液晶ディスプレイが挙げられる。液晶は自己発光することができないために、後述する反射面を備えることで、バックライトの光を効率よく使用することができるからである。なお、薄型ディスプレイパネル構体は、液晶ディスプレイに限られることはない。例えば、ＥＬ（Ｅｌｅｃｔｏｒｏ Ｌｕｍｉｎｅｓｃｅｎｃｅ）ディスプレイであってもよいし、プラズマディスプレイであってもよい。これらは自己発光などを行うことができるために、一見すると後述する発光手段から発せられる光を反射する反射面を備えていなくてもよいが、反射面を備えることで、光を効率よく使用し得るからである。以下の説明では、薄型ディスプレイパネル構体の一例である液晶ディスプレイに基づいて説明を行う。
【００１３】
「表示部」（０１０１）とは、薄型ディスプレイパネル構体の構成上、フロントパネル（０１０２）と裏蓋部（０１０３）を除いた構成部分のことであり、主としてディスプレイ上に文字・画像などを表示する機能を有する。表示部（０１０１）の一例としては、発光手段（０１０２）の他、発光手段からの光波の振動をある方向に制限するための偏光フィルタや、液晶を挟み込むためのガラス基板や、液晶分子を駆動するための透明電極や、液晶分子群を一定方向に配列されるための配向膜や、液晶や、カラーフィルタや、液晶の厚みを一定にするためのスペーサなどの一または二以上のものから構成されている。
【００１４】
「フロントパネル」（０１０２）は、薄型ディスプレイパネル構体の前面に取り付けられる部材となるものであり、裏蓋部（０１０３）とによって前記表示部（０１０１）を挟み込み収容するものである。「裏蓋部」（０１０３）は、薄型ディスプレイパネル構体の背面に取り付けられる部材となるものであり、前記表示部（０１０１）をフロントパネル（０１０２）とによって挟み込み収納するものである。このように、本実施形態における薄型ディスプレイパネル構体は、前記表示部（０１０１）をフロントパネル（０１０２）と、裏蓋部（０１０３）とによって挟み込み収納した薄型ディスプレイパネル構体である。
【００１５】
「発光手段」（０１０４）とは、表示部（０１０１）に含まれており、光を発する光源となるものである。具体例としては蛍光ランプが挙げられる。液晶ディスプレイにおいては、液晶自身は非発光の物質であるために、表示部（０１０１）が外部光源の一種である発光手段（０１０４）を含んでいることにより、表示部（０１０１）に対して光を投射することで目的の表示内容を表示することが可能となる。なお、薄型ディスプレイパネル構体が、ＥＬディスプレイである場合には、発光手段（０１０４）とは、自発光を行う発光層に相当し、また、薄型ディスプレイパネル構体が、プラズマディスプレイである場合には、発光手段（０１０４）は自発でプラズマ発光を行う蛍光体に相当する。
【００１６】
図２を用いてさらに説明する。図２は、本実施形態における薄型ディスプレイパネル構体についての等角投影図の一例であり、図１とは別の角度から投影した図である。図２に示すように、本実施形態においては、前記裏蓋部（０１０３）の内面は、前記発光手段（０１０４）から発せられる光を反射する反射面（０２０５）を備えている。図２においては、斜線で示す裏蓋部の内面部分が反射面に相当する。裏蓋部が反射面を備えていることにより、従来必要としていた反射シートが不要になり、反射シート部品のコストを削減することができる。また、薄型ディスプレイパネル構体を組み立てる工程においては、反射シートを裏蓋部と表示部との間に挟みこむ処理を省略することができるため、工数の削減を実現することができる。
【００１７】
なお、前記反射面（０２０５）は、前記発光手段（０１０４）から発せられる光を反射するものであるが、反射面が反射する光は、前記発光手段（０１０４）から直接発せられる光に限られることはない。例えば薄型ディスプレイパネル構体が反射型液晶ディスプレイである場合には、反射面が反射する光は前記発光手段（０１０４）から直接発せられる光でなくてもよい。反射型液晶ディスプレイとは、光源としてバックライトの代わりに外光を利用し、その反射光を利用する液晶ディスプレイのことである。このような場合には、反射面（０２０５）は、表示部に含まれる発光手段から発せられる光の他に、外光の光を反射してもよい。
【００１８】
前記裏蓋部（０１０３）の反射面（０２０５）は、全光線反射率８０％以上であることが望ましい。発光手段（０２０５）から発せられる光を表示部（０１０１）に対して多量に照射することで、輝度が高く、鮮明な画面を表示することが可能になるからである。全光線反射率が８０％よりも小さい場合には、ディスプレイ画面が暗くなってしまうため望ましくない。また、前記裏蓋部（０１０３）の反射面（０２０５）は、裏蓋部本体表面に塗布される光反射材によって構成されていてもよい。裏蓋部（０１０３）の反射面（０２０５）が形成される方法としては、裏蓋部の加工成型前に反射材を塗布し、その後に裏蓋部が作成されることにより、裏蓋部（０１０３）の内面に反射面（０２０５）を備えることも可能であるし、あるいは、裏蓋部を加工成型し、その後に裏蓋部本体表面に光反射材を塗布することで、裏蓋部の内面に反射面を備えることも可能である。ここでは、後者で述べた例について説明する。光反射材を塗布した裏蓋部を加工してしまうと、加工の度合いによっては塗布した光反射材が欠落する場合が生じるが、既に作成された裏蓋部本体表面に光反射材を塗布した場合には、かかる無駄が生じなくて済む。従って、裏蓋部の反射面が裏蓋部本体表面に塗布される光反射材によって構成される、ということにより、光反射材は、形状が作成された状態の裏蓋部に対して塗布されることになるため、光反射材を無駄なく利用することが可能となる。なお、光反射材は、ガラスビーズあってもよいし、ビーズの代わりに直角三角錐体の立体プリズムを表面に並べたものであってもよい。ガラスビーズである場合には、ガラスビーズが露出している露出レンズ型であってもよいし、ガラスビーズに樹脂を被せることによる封入レンズ型であってもよいし、あるいは、樹脂とガラスビーズ層との間に空気層を設けたカプセルレンズ型であってもよい。また、その他の光反射材としては銀、アクリル樹脂、アルミニウム、半導体などが挙げられるが、これに限定されることはない。
【００１９】
また、前記表示部（０１０１）は、液晶表示モジュールであってもよいし、前記発光手段（０２０５）は、液晶用バックライトであってもよい。「液晶表示モジュール」とは、液晶パネルや液晶用バックライトなどからなる液晶ディスプレイや、これらの液晶ディスプレイにＴＦＴ（ｔｈｉｎ  ｆｉｌｍ  ｔｒａｎｓｉｓｔｏｒ）ディスプレイ駆動回路などを加えたモジュールのことである。このように、液晶表示モジュールには、発光手段として液晶用バックライトが含まれている。液晶用バックライトは既に説明したように、蛍光ランプであってもよいし、あるいは、ＬＥＤ（ＬＩＧＨＴ−ｅｍｉｔｔｉｎｇ  ｄｉｏｄｅ）であってもよい。また、これらに限定されることもない。
【００２０】
また、本実施形態の薄型ディスプレイパネル構体は、発光手段（０２０５）から発せられる光を反射する機能を主目的とした反射シートを有さなくてもよい。本実施形態における薄型ディスプレイパネル構体は、裏蓋部（０１０５）の内面に反射面（０２０５）を備えているため、発光手段（０１０４）から発せられる光を反射する機能を主目的とした反射シートが不要になるからである。反射シートを有さないことにより、反射シート部材のコストを削減できるとともに、薄型ディスプレイ内の熱を放出し易くすることも可能となる。なお、「発光手段から発せられる光を反射する機能を主目的」としないシートについては有していてもよいことはもちろんである。例えば、光を一定方向に制限する偏光フィルタや、画像カラー化のために使用するカラーフィルタなどは、一部の光を反射してしまう場合があっても、「発光手段から発せられる光を反射する機能を主目的」としていないために、ここでいう反射シートには該当しない。
【００２１】
<実施形態１の効果>
本実施形態における薄型ディスプレイパネル構体は、裏蓋部の内面に発光手段から発せられる光を反射する反射面を備えたことにより、光の有効利用を維持しつつ、反射シートを不要にすることができる。従って、反射シートの挿入作業が不要になるため、薄型ディスプレイの組立時の作業効率を向上させることができる。さらには不要になった反射シート分のコストを削減することが可能となる。また、反射シートを不要にすることで、薄型ディスプレイパネル構体内部の熱を逃がすことが可能となる。
【００２２】
<<実施形態２>>
<実施形態２の概要>
本実施形態における薄型ディスプレイパネル構体は、裏蓋部の一部が金属材料から構成されていることを特徴とするものである。
【００２３】
<実施形態２の構成>
本実施形態における薄型ディスプレイパネル構体は、実施形態１と同様に、「表示部」（０１０１）と、「フロントパネル」（０１０２）と、「裏蓋部」（０１０３）と、からなる。本実施形態における前記裏蓋部（０１０３）は、少なくとも一部が金属材料から構成されている。金属材料の一例としては、アルミニウム、金、銀、ステンレス鋼、炭素鋼、チタン、銅、並びにこれらの合金ないし複合材料などが挙げられる。裏蓋部（０１０３）の「一部」とは、裏蓋部（０１０３）の外面であってもよいし、内面であってもよいが、内面であることが望ましい。裏蓋部（０１０３）の内面には既に説明したとおり、反射面（０２０５）が備えられているが、金属材料は光沢があり、また平滑性に優れているため、より多くの光の反射を実現することができるからである。また、裏蓋部の一部が金属材料から構成されている場合には、金属加工を行うことができ、最適な裏蓋部の形状を容易に形成することが可能となる。さらには、図３の斜線部分に示すように、裏蓋部の少なくとも一部が薄型ディスプレイパネル構体の接合部分となる場合には、当該裏蓋部の一部が金属材料から構成されていることにより、表示部（０１０１）をより強い強度で挟み込み収納することができる。なお、裏蓋部（０１０３）は、その全てが金属材料から構成されていてもよいことはもちろんである。また、裏蓋部（０１０３）は、プラスチックから構成されていてもよい。あるいは、金属板と非金属板とを密着接合した積層複合体であってもよい。
【００２４】
<実施形態２の効果>
本実施形態における薄型ディスプレイパネル構体は、裏蓋部の少なくとも一部が金属材料から構成されていることにより、裏蓋部に光沢が生じ、また、平滑性が高まるため、反射面においてより多くの光を反射することができる。また、金属加工を容易に行うことができるため、裏蓋部の形状を容易に形成することが可能となる。
【００２５】
<<実施形態３>>
<実施形態３の概要>
本実施形態は、実施形態１または２で説明した薄型ディスプレイパネル構体を構成する薄型ディスプレイパネル用裏蓋に関するものである。
【００２６】
<実施形態３の構成と効果>
本実施形態における薄型ディスプレイパネル構体用裏蓋は、薄型ディスプレイパネル構体のフロントパネルとともに発光手段を含む表示部を挟み込み収納するための裏蓋であって、前記発光手段から発せられる光を反射する反射面を備えた薄型ディスプレイパネル構体用裏蓋である。すなわち、本実施形態における「薄型ディスプレイパネル構体用裏蓋」とは、実施形態１または２で説明した裏蓋部と同様の機能を有する裏蓋である。実施形態１または２で説明したように、発光手段から発せられる光を反射する反射面を備えているために、従来、発光手段と裏蓋部との間に介在させていた反射シートが不要になる。また、本実施形態における薄型ディスプレイパネル構体用裏蓋を利用することで反射シートが不要になるため、反射シート分の在庫管理が不要になり、薄型ディスプレイパネル構体の部品についての在庫管理が容易になる。
【００２７】
<<実施形態４>>
<実施形態４の概要>
本実施形態は実施形態１または２で説明した薄型ディスプレイパネル構体を製造する際の製造方法に関するものである。
【００２８】
<実施形態４の処理の流れ>
図４に本実施形態における薄型ディスプレイパネル構体の製造方法における処理の流れの一例を示す。図４に示す本実施形態の薄型ディスプレイパネル構体の製造方法は、「フロントパネル配置工程」（Ｓ０４０１）と、「表示部配置工程」（Ｓ０４０２）と、「裏蓋部配置工程」（０４０３）と、「固定工程」（Ｓ０４０４）と、を有する。また、本実施形態における薄型ディスプレイパネル構体の製造方法は、発光手段を含む表示部と、フロントパネルと、裏蓋部と、からなり、前記表示部をフロントパネルと、裏蓋部とによって挟み込み収納した薄型ディスプレイパネル構体の製造方法である。すなわち、実施形態１または２で説明した薄型ディスプレイパネル構体の製造方法に関するものである。薄型ディスプレイパネル構体の各構成については、実施形態１または２で説明したものと同様であるため、ここでの説明は省略する。
【００２９】
まず最初に、「フロントパネル配置工程」（Ｓ０４０１）において、フロントパネルを裏面側を上にして配置する。「裏面側」とは、表示部を挟み込む際に裏蓋部と対向する側のことである。「裏面側を上にして配置」とは、次のステップ以降で配置される表示部や裏蓋部がフロントパネル上に順に積み重ねられることを示している。次に、「表示部配置工程」（Ｓ０４０２）において、フロントパネル配置工程（Ｓ０４０１）にて配置されたフロントパネルの裏面側に表示部を配置する。次に、「裏蓋部配置工程」（Ｓ０４０３）にて裏蓋部を配置する。そして、最後に「固定工程」（Ｓ０４０４）において、表示部が配置されたフロントパネルと、反射面を備えた裏蓋部とを、表示部を挟み込み収納するように固定する。図５及び図６に本実施形態における薄型ディスプレイパネル構体の製造方法の一例を示す。最初に、図５に示すように、フロントパネル（０５０１）の裏面側を上にして配置し、その上から表示部（０５０２）を配置する。その後、図６に示すように、表示部（０５０２）が配置されたフロントパネル（０５０１）のさらにその上から裏蓋部（０５０３）を配置して、フロントパネル（０５０１）と裏蓋部（０５０３）とを、表示部（０５０２）を挟み込み収納するように固定する。
【００３０】
<実施形態４の効果>
本実施形態における製造対象である薄型ディスプレイパネル構体は、裏蓋部の内面に反射面を備えているため、反射シートの取り付け作業が不要となっている。従って、本実施形態においては、フロントパネル、表示部、裏蓋部を順に積み重ねで配置し、固定することが可能となる。これにより、自動機などで組立を行うことが可能となり、コストの削減を実現することができる。
【００３１】
<<実施形態５>>
<実施形態５の概要>
本実施形態における薄型ディスプレイパネル構体の製造方法は、主として実施形態１から３で説明した裏蓋部の製造工程に関するものである。
【００３２】
<実施形態５の処理の流れ>
図７に本実施形態における薄型ディスプレイパネル構体の製造方法における処理の流れの一例を示す。図７に示す本実施形態の薄型ディスプレイパネル構体の製造方法は、「裏蓋部本体準備工程」（Ｓ０７０１）と、「反射材料塗布工程」（Ｓ０７０２）を含む。本実施形態における薄型ディスプレイパネル構体の製造方法についても、実施形態５で説明した製造方法と同様に、発光手段を含む表示部をフロントパネルと、裏蓋部とによって挟み込み収納した薄型ディスプレイパネル構体の製造方法である。
【００３３】
「裏蓋部本体準備工程」（Ｓ０７０１）においては、金属性平板を加工して裏蓋部本体を準備する。「金属性平板」とは、実施形態２で説明した金属材料から構成されている平板のことである。「加工」とは、裏蓋部の形状に加工をすることである。金属性平板を加工する際には、ネジ止めや端子の穴等を形成するように加工してもよい。また、ネジ止めや端子の穴等の数は２０個以下であってもよく、望ましくは８個以下であってもよい。裏蓋部とフロントパネルを固定する工程の際の所要時間を短縮することができるからである。次に、「反射材料塗布工程」（Ｓ０７０２）においては、裏蓋部本体準備工程（Ｓ０７０１）にて準備された裏蓋部の裏面側に反射材料を塗布する。かかる工程を経ることで、裏蓋部の裏面側に反射面を備えることを実現している。また、本実施形態においては反射材料を塗布する前に、金属性平板を加工して裏蓋部本体を準備しているために、無駄な反射材料を使用せずに済む。既に説明したように、反射材料を塗布した後に金属性平板を加工した場合には反射材料の不均一が生じる可能性があるからである。なお、本実施形態における薄型ディスプレイパネル構体の製造方法においては、裏蓋部本体準備工程（Ｓ０７０１）と、反射材料塗布工程（Ｓ０７０２）を「含む」ものであり、例えば、図８で示すように、以降に実施形態５で説明した各工程が含まれていてもよいことはもちろんである。
【００３４】
<実施形態５の効果>
本実施形態における薄型ディスプレイパネル構体の製造方法は、金属性平板を加工して裏蓋部本体を準備した後に、反射材料を塗布することで、無駄なく反射材料を利用することができ、コスト削減を実現することができる。
【図面の簡単な説明】
【００３５】
【図１】薄型ディスプレイパネル構体を分離した等角投影図第一図
【図２】薄型ディスプレイパネル構体を分離した等角投影図第二図
【図３】実施形態１の裏蓋部の一例を示す図
【図４】実施形態４の処理の流れを説明する図
【図５】実施形態４の製造方法の概念を説明する第一図
【図６】実施形態４の製造方法の概念を説明する第二図
【図７】実施形態５の処理の流れを説明する図
【図８】実施形態４及び５の処理の流れを説明する図
【符号の説明】
【００３６】
０１０１    表示部
０１０２    フロントパネル
０１０３    裏蓋部
０１０４    発光手段
０２０５    反射面
【図１】
2006337596.tif 000003
【図２】
2006337596.tif 000004
【図３】
2006337596.tif 000005
【図４】
2006337596.tif 000006
【図５】
2006337596.tif 000007
【図６】
2006337596.tif 000008
【図７】
2006337596.tif 000009
【図８】
2006337596.tif 000010